(57)【要約】【課題】ブラシホルダの限られた小スペースにコンデンサを収容し実装することを可能にして、全体として小型化を実現するブラシ装置及び直流モータを提供することにある。【解決手段】第１ブラシボックス３２ａと第６ブラシボックス３２ｆの間の内側面に、径方向内側から径方向外側に向かって第１及び第２コンデンサＣａ，Ｃｂ、第１及び第２電源端子６１，６２、及び、補助電源端子７０を順番に並設した。第１及び第２コンデンサＣａ，Ｃｂは、その偏平面が、軸線方向に延びる中心軸線と径方向に延びる放射線とで形成される面と平行になるように配置した。【選択図】図２
2014017935.tif 000002
【特許請求の範囲】
【請求項１】
ブラシホルダの環状のベースプレートの一側面に、複数のブラシボックスを周方向に間隔を置いて設け、その複数のブラシボックスに収容される少なくとも１つの第１極性の第１ブラシと少なくとも１つの第２極性の第２ブラシが備えられ、
前記ベースプレートに対して第１電源端子を、その一側面からその他側面に貫通固定し、前記第１ブラシとベースプレートの一側面側で第１導電部材を介して接続し、
前記ベースプレートに対して第２電源端子を、その一側面からその他側面に貫通固定し、前記第２ブラシとベースプレートの一側面側で第２導電部材を介して接続したブラシ装置であって、
２つのブラシボックス間に、径方向内側から径方向外側へコンデンサ、前記第１及び第２電源端子、給電補助端子の順に配置され、
前記コンデンサは、偏平矩形状の本体部とその最も幅広である偏平面間を繋ぐ幅狭の側面から引き出される２つのリード線引出し部とからなり、その幅広側の偏平面が軸径方向と平行となるように配置するとともに、その２つのリード線引出し部を径方向外側に引出し、その２つのリード線引出し部の一方は前記第１又は第２電源端子の一方に、他方は前記給電補助端子に接続させたことを特徴とするブラシ装置。
【請求項２】
請求項１に記載のブラシ装置において、
前記給電補助端子は、アース端子であって、前記給電補助端子に設けた付勢片にてヨークハウジングに内側面に当接することを特徴とするブラシ装置。
【請求項３】
請求項１又は２に記載のブラシ装置において、
コンデンサは、２つであって、一方のコンデンサの２つのリード線引出し部の一方は前記第１電源端子に、他方は前記給電補助端子にそれぞれ接続され、他方のコンデンサの２つのリード線引出し部の一方は前記第２電源端子に、他方は前記給電補助端子にそれぞれ接続されていることを特徴とするブラシ装置。
【請求項４】
請求項３記載のブラシ装置において、
前記２つのコンデンサのそれぞれ４本のリード線引出し部の先端部は、互いに軸方向及び径方向に離間した位置で第１及び第２電源電端子又は給電補助端子に接続されていることを特徴とするブラシ装置。
【請求項５】
請求項４記載のブラシ装置において、
前記２つのコンデンサは、本体部及びリード線引出し部とも同一形状であって、他方のコンデンサは、第１又は第２電源端子及び給電補助端子に接続された一方のコンデンサに対し、リード線引出し部の引出し方向を回転軸として半回転した状態で第１又は第２電源端子及び給電補助端子に接続されていることを特徴とするブラシ装置。
【請求項６】
請求項１〜５のいずれか１つに記載のブラシ装置において、
前記第１電源端子と接続する前記第１導電部材は、円弧状に湾曲の導電部材であって、前記第１電源端子の対向側の径方向に係り合うとともに、その係合部が第１電源端子側に弾圧するバネ部を有し、バネ部はブラシボックス間であって両ブラシボックスに沿って設けられ、
前記第２電源端子と接続する前記第２導電部材は、円弧状に湾曲の導電部材であって、前記第２電源端子の対向側の径方向に係り合うとともに、その係合部が第２電源端子側に弾圧するバネ部を有し、バネ部はブラシボックス間であって両ブラシボックスに沿って設けられたことを特徴とするブラシ装置。
【請求項７】
請求項１〜６のいずれか１つに記載のブラシ装置を備えた直流モータ。
【発明の詳細な説明】
【技術分野】
【０００１】
本発明は、ブラシ装置及び直流モータに関するものである。
【背景技術】
【０００２】
従来、特許文献１のブラシ付き直流モータにおいて、ブラシ装置にノイズ吸収のためのコンデンサを実装したものが提案されている。この特許文献１の直流モータは、２極モータであって、２極用のブラシ装置はブラシの数が少ないことから、ブラシホルダにコンデンサを組み付けるスペースが十分にあった。そのことから、矩形状のコンデンサを２極用のブラシ装置のブラシホルダに実装するに際して、その矩形状のコンデンサ本体の幅広側を周方向に沿って配置されるように組み付け、リード線引出部を軸線方向に向けて引出導電部材に電気的にすることができた。
【先行技術文献】
【特許文献】
【０００３】
【特許文献１】特開２００４−５６９４号公報
【発明の概要】
【発明が解決しようとする課題】
【０００４】
しかしながら、６極用ブラシ装置では、そのブラシホルダに６個のブラシを保持するために６個のブラシボックスを設けなければならない。そのため、ブラシホルダは、これら６個のブラシボックスの占有する面積が大半となり、上記のような方法でコンデンサをブラシホルダに組み付けることは困難であった。
【０００５】
本発明は上記問題点を解消するためになされたものであって、その目的は、ブラシホルダの限られた小スペースにコンデンサを収容し実装することを可能にして、全体として小型化を実現するブラシ装置及び直流モータを提供することにある。
【課題を解決するための手段】
【０００６】
請求項１に記載の発明は、ブラシホルダの環状のベースプレートの一側面に、複数のブラシボックスを周方向に間隔を置いて設け、その複数のブラシボックスに収容される少なくとも１つの第１極性の第１ブラシと少なくとも１つの第２極性の第２ブラシが備えられ、
前記ベースプレートに対して第１電源端子を、その一側面からその他側面に貫通固定し、前記第１ブラシとベースプレートの一側面側で第１導電部材を介して接続し、
前記ベースプレートに対して第２電源端子を、その一側面からその他側面に貫通固定し、前記第２ブラシとベースプレートの一側面側で第２導電部材を介して接続したブラシ装置であって、２つのブラシボックス間に、径方向内側から径方向外側へコンデンサ、前記第１及び第２電源端子、給電補助端子の順に配置され、前記コンデンサは、偏平矩形状の本体部とその最も幅広である偏平面間を繋ぐ幅狭の側面から引き出される２つのリード線引出し部とからなり、その幅広側の偏平面が軸径方向と平行となるように配置するとともに、その２つのリード線引出し部を径方向外側に引出し、その２つのリード線引出し部の一方は前記第１又は第２電源端子の一方に、他方は前記給電補助端子に接続させた。
【０００７】
請求項１に記載の発明によれば、コンデンサ、第１及び第２電源端子、及び、給電補助端子を径方向に並設したので、２つのブラシボックスの間の限られたスペースに配置することができ、ブラシ装置の小型化、ひいては直流モータの小型化を実現できる。
【０００８】
請求項２に記載の発明は、請求項１に記載のブラシ装置において、前記給電補助端子は、アース端子であって、前記給電補助端子に設けた付勢片にてヨークハウジングに内側面に当接する。
【０００９】
請求項２に記載の発明によれば、簡単に補助電源端子をアース端子することができる。
請求項３に記載の発明は、請求項１又は２に記載のブラシ装置において、コンデンサは、２つであって、一方のコンデンサの２つのリード線引出し部の一方は前記第１電源端子に、他方は前記給電補助端子にそれぞれ接続され、他方のコンデンサの２つのリード線引出し部の一方は前記第２電源端子に、他方は前記給電補助端子にそれぞれ接続されている。
【００１０】
請求項３に記載の発明によれば、２つにコンデンサを限られたブラシボックスの狭いスペースに配置することができ、ブラシ装置の小型化、ひいては直流モータの小型化を実現できる。
【００１１】
請求項４に記載の発明は、請求項３記載のブラシ装置において、前記２つのコンデンサのそれぞれ４本のリード線引出し部の先端部は、互いに軸方向及び径方向に離間した位置で第１及び第２電源端子又は給電補助端子に接続されている。
【００１２】
請求項４に記載の発明によれば、第１及び第２コンデンサＣａ、Ｃｂの４本のリード線引出し部が３次元的に互いに異なった位置に配置されることから、各リード線引出し部の溶接による接続作業は容易にとなるとともに、各リード線引出し部間の絶縁性も十分に確保することができる。
【００１３】
請求項５に記載の発明は、請求項４記載のブラシ装置において、前記２つのコンデンサは、本体部及びリード線引出し部とも同一形状であって、他方のコンデンサは、第１又は第２電源端子及び給電補助端子に接続された一方のコンデンサに対し、リード線引出し部の引出し方向を回転軸として半回転した状態で第１又は第２電源端子及び給電補助端子に接続されている。
【００１４】
請求項５に記載の発明によれば、前記２つのコンデンサは、同一形状となり１種類のコンデンサのみとなり、部品管理が容易となる。
請求項６に記載の発明は、請求項１〜５のいずれか１つに記載のブラシ装置において、前記第１電源端子と接続する前記第１導電部材は、円弧状に湾曲の導電部材であって、前記第１電源端子の対向側の径方向に係り合うとともに、その係合部が第１電源端子側に弾圧するバネ部を有し、バネ部はブラシボックス間であって両ブラシボックスに沿って設けられ、前記第２電源端子と接続する前記第２導電部材は、円弧状に湾曲の導電部材であって、前記第２電源端子の対向側の径方向に係り合うとともに、その係合部が第２電源端子側に弾圧するバネ部を有し、バネ部はブラシボックス間であって両ブラシボックスに沿って設けられた。
【００１５】
請求項６に記載の発明によれば、溶接作業を容易にすることできるとともに、バネ部を限られたブラシボックス間の狭いスペースに収容でき、ブラシ装置の小型化、ひいては直流モータの小型化を実現できる。
【００１６】
請求項７に記載の発明は、請求項１〜６のいずれか１つに記載のブラシ装置を備えた直流モータ。
請求項７に記載の発明によれば、ブラシ装置が小型化できることから、直流モータの小型化を実現できる。
【発明の効果】
【００１７】
本発明によれば、ブラシホルダの限られた小スペースにコンデンサを収容し実装することを可能にして、全体として小型化を実現することができる。
【図面の簡単な説明】
【００１８】
【図１】実施形態の直流モータの断面図。
【図２】同じく直流モータに備えられたブラシ装置を説明するための電機子コア側から見た斜視図。
【図３】同じくブラシ装置を電機子コア側から見た正面図。
【図４】同じくブラシ装置のブラシホルダを説明するための電機子コア側から見た斜視図。
【図５】同じくブラシホルダを電機子コア側から見た正面図。
【図６】同じく、第１導電部材による第１電源端子と各第１ブラシとの結線状態を説明するための斜視図。
【図７】同じく、第２導電部材による第２電源端子と各第２ブラシとの結線状態を説明するための斜視図。
【図８】同じく、第１電極端子の斜視図。
【図９】同じく、第２電極端子の斜視図。
【図１０】同じく、補助電極端子の正面図。
【図１１】同じく、補助電極端子の付勢片を説明するためのＸ−Ｘ線端面図。
【図１２】同じく、（ａ）は第１コンデンサの斜視図、（ｂ）は第２コンデンサの斜視図。
【発明を実施するための形態】
【００１９】
以下、本発明を具体化した一実施形態を図１〜図１２に従って説明する。
図１に示すように、直流モータＭは、有蓋円筒状のヨークハウジング１と、該ヨークハウジング１の内部に収容された電機子２と、該ヨークハウジング１の開口部に配置されたブラシ装置３とを備えている。
【００２０】
ヨークハウジング１は、円筒状をなす円筒部１１と、該円筒部１１の一側上部を閉塞する蓋部１２を有している。ヨークハウジング１の円筒部１１の内周面１１ａには、３個の第１永久磁石ＭＧ１（図１では１個のみ表示）と３個の第２永久磁石ＭＧ２（図１では１個のみ表示）が、周方向に交互に配置固定されている。そして、ヨークハウジング１の円筒部１１、３個の第１永久磁石ＭＧ１及び３個の第２永久磁石ＭＧ２にて固定子が構成される。
【００２１】
３個の第１永久磁石ＭＧ１は、径方向内側がＮ極、径方向外側がＳ極に磁化されている。３個の第２永久磁石ＭＧ２は、径方向内側がＳ極、径方向外側がＮ極に磁化されている。そして、周方向に交互に配置された３個の第１永久磁石ＭＧ１と３個の第２永久磁石ＭＧ２は、６０度間隔に配置固定されている。従って、円筒部１１の内側には、周方向に６個の磁極が設けられている。
【００２２】
ヨークハウジング１の内部であって、周方向に交互に配置された第１永久磁石ＭＧ１と第２永久磁石ＭＧ２の内側には、電機子２が配置されている。
図１に示すように、電機子２は、ヨークハウジング１の円筒部１１に中心軸線上に配置された回転軸２１と、その回転軸２１に一体回転可能に固着された電機子コア２２と、その電機子コア２２のティース２３に巻回された巻線２４と、電機子コア２２に隣接し回転軸２１に一体回転可能に固定された整流子２５を備えている。
【００２３】
回転軸２１は、その基部がヨークハウジング１の蓋部１２に中央部内側に設けた軸受２６にて回転可能に支持されている。電機子コア２２は、回転軸２１であってその回転軸２１の軸方向基端側に一体回転可能に外嵌されている。
【００２４】
電機子コア２２は、回転軸２１の中心軸線を中心に径方向外側に放射状に延びる９個のティース２３（図１では２個のみ表示）を有している。９個のティース２３は、周方向に４０度の等ピッチに形成されている。そして、９個のティース２３の径方向先端面は、円筒部１１の内周面に配置された第１永久磁石ＭＧ１と第２永久磁石ＭＧ２と相対向する。そして、各ティース２３には、巻線２４が巻回されている。
【００２５】
整流子２５は、電機子コア２２に隣接して回転軸２１に固着され、同電機子コア２２とともに回転軸２１と一体回転する。整流子２５は、その外周面に複数に整流子片２７が設けられている。整流子片２７の数は、電機子２のティース２３の数の２倍の数に設定されている。従って、ティース２３が９個であることから、整流子片２７の数は１８個となっている。
【００２６】
各整流子片２７の軸線方向の電機子コア２２側端部には、径方向外側に折り返し形成さえたライザ２８がそれぞれ一体形成されている。各整流子片２７のライザ２８には、ティース２３に巻回した巻線２４が掛け止めされている。そして、巻線２４は、その掛け止めされた部分がヒュージングにてライザ２８に固定されることで、そのライザ２８を有する整流子片２７と電気的に接続されている。
【００２７】
図１に示すように、ヨークハウジング１の円筒部１１の開口部側には、ブラシ装置３が配置され、ブラシ装置３を構成するブラシホルダ３０が円筒部１１の開口部を閉塞している。
【００２８】
図４に示すように、ブラシホルダ３０は、絶縁性の合成樹脂材料から形成され、環状のベースプレート３１と、ベースプレート３１の内側面ｆ１に一体形成された第１〜第６ブラシボックス３２ａ〜３２ｆ（図１では、総称して符号を「３２」と付している）と、ベースプレート３１の外側面ｆ２に一体形成された端子保持部３３を有している。
【００２９】
ここで、ベースプレート３１の電機子コア２２側の円環状側面を内側面ｆ１といい、ベースプレート３１の反電機子コア２２側の円環状側面を外側面ｆ２という。
図２〜図５に示すように、ブラシホルダ３０のベースプレート３１は、円環板状をなしその外周面が、ヨークハウジング１の円筒部１１の開口部の内周面１１ａに嵌着固定されている。ベースプレート３１は、その中央部に貫通穴３４が形成されている。貫通穴３４は、その内径が回転軸２１の外径より大きく形成され、図１に示すように、同回転軸２１の出力端側が貫通するようになっている。貫通穴３４を貫通した回転軸２１の出力端側は、図示しない軸受にて回転可能に支持されている。
【００３０】
図２及び図３に示すように、ベースプレート３１の内側面ｆ１には、６個の第１〜第６ブラシボックス３２ａ〜３２ｆが周方向に６０度の等ピッチとなる６箇所の位置に設けられている。等間隔に設けられた第１〜第６ブラシボックス３２ａ〜３２ｆの径方向内側で形成される空間に、図１に示すように、整流子２５が配置されるようになっている。
【００３１】
図４及び図５に示すように、第１〜第６ブラシボックス３２ａ〜３２ｆは、ともに径方向に延びる四角筒状なしている。第１〜第６ブラシボックス３２ａ〜３２ｆは、内側面ｆ１から軸方向に立設され、図５において周方向時計回り方向の第１側壁Ｗ１と、反時計回り方向の第２側壁Ｗ２と、その第１及び第２側壁Ｗ１，Ｗ２の先端辺間を連結する天井壁Ｗ３と備えている。
【００３２】
第１〜第６ブラシボックス３２ａ〜３２ｆの一対の第１及び第２側壁Ｗ１，Ｗ２は、周方向に離間するとともに互いに平行に立設され、一対の第１及び第２側壁Ｗ１，Ｗ２間の中心位置は、回転軸２１の中心軸線を中心として径方向に延びる放射線上に位置するようになっている。
【００３３】
第１、第２、第４ブラシボックス３２ａ，３２ｂ，３２ｄの第１側壁Ｗ１及び、第３、第５、第６ブラシボックス３２ｃ，３２ｅ，３２ｆの第２側壁Ｗ２には、径方向外側端から径方向内側に向かってガイド凹部３５が切り欠き形成されている。
【００３４】
第１〜第６ブラシボックス３２ａ〜３２ｆの一対の第１及び第２側壁Ｗ１，Ｗ２の径方向外側端部には、一対の係止片３６が径方向外側に向かって延出形成されている。一対に係止片３６は、先端に周方向に互いに離間する方向に爪を有し、図１に示す、各ブラシボックス３２ａ〜３２ｆの径方向外側の開口部を閉塞するキャップＣＰを係止し装着する。
【００３５】
第１〜第６ブラシボックス３２ａ〜３２ｆの天井壁Ｗ３は、電機子コア２２側の側面である壁面が軸線方向に直交する平面であって、内側面ｆ１からの高さ（軸線方向の長さ）が等しくなっている。
【００３６】
第３及び第５ブラシボックス３２ｃ，３２ｅの天井壁Ｗ３の壁面には、第１規制片ＳＴ１が形成されている。第１規制片ＳＴ１は、天井壁Ｗ３の壁面における径方向外側端部に周方向全幅にわたって形成されていて、その壁面から突出した後に径方向外側に延びて鍵状に形成されている。
【００３７】
第２及び第４ブラシボックス３２ｂ，３２ｄの天井壁Ｗ３の壁面には、第２規制片ＳＴ２が形成されている。第２規制片ＳＴ２は、天井壁Ｗ３の壁面における径方向中間位置に形成されている。第２規制片ＳＴ２は、天井壁Ｗ３の壁面から突出した後に径方向外側に延びて鍵状に形成されている。
【００３８】
ここで、第２ブラシボックス３２ｂの第２規制片ＳＴ２は、天井壁Ｗ３の壁面における径方向中間位置において、周方向時計回り方向寄りに形成されている。また、第４ブラシボックス３２ｄの第２規制片ＳＴ２は、天井壁Ｗ３の壁面における径方向中間位置において、周方向全幅にわたって形成されている。
【００３９】
第１及び第６ブラシボックス３２ａ，３２ｆの天井壁Ｗ３の壁面には、第３規制片ＳＴ３が形成されている。第３規制片ＳＴ３は、天井壁Ｗ３の壁面における径方向内側端部に形成されていて、壁面から突出した四角柱状の突起にて形成されている。
【００４０】
ここで、第１ブラシボックス３２ａの第３規制片ＳＴ３は、天井壁Ｗ３の壁面における径方向内側端部において、周方向時計回り方向寄りに突出形成されている。また、第６ブラシボックス３２ｆの第３規制片ＳＴ３は、天井壁Ｗ３の壁面における径方向内側端部において、周方向反時計回り方向寄りに突出形成されている。
【００４１】
また、ベースプレート３１において、第２ブラシボックス３２ｂと第３ブラシボックス３２ｃの中間位置に、内側面ｆ１から第１支持規制台４１が第２及び第４ブラシボックス３２ｂ，３２ｄの天井壁Ｗ３の高さ位置まで突出形成されている。第１支持規制台４１は、貫通穴３４の開口端から径方向外側に向かって形成され、天井壁Ｗ３の壁面と同一平面をなす面には、第１突起４１ａが形成されている。第１突起４１ａは、貫通穴３４（回転軸２１）の中心軸を中心とする同一円周線上にある第３及び第５ブラシボックス３２ｃ，３２ｅの第１規制片ＳＴ１と同じ円周線上位置に形成されている。
【００４２】
同様に、ベースプレート３１において、第４ブラシボックス３２ｄと第５ブラシボックス３２ｅの中間位置に、内側面ｆ１から第２支持規制台４２が第４及び第５ブラシボックス３２ｄ，３２ｅの天井壁Ｗ３の高さ位置まで突出形成されている。第２支持規制台４２は、貫通穴３４の開口端から径方向外側に向かって形成され、天井壁Ｗ３の壁面と同一平面をなす面には、第２突起４２ａが形成されている。第２突起４２ａは、貫通穴３４（回転軸２１）の中心軸を中心とする同一円周線上にある第２及び第４ブラシボックス３２ｂ，３２ｄの第２規制片ＳＴ２と同じ円周線上位置に形成されている。
【００４３】
さらに、ベースプレート３１において、第３ブラシボックス３２ｃと第４ブラシボックス３２ｄの中間位置に、内側面ｆ１から支承台４３が第３及び第４ブラシボックス３２ｃ，３２ｄの天井壁Ｗ３の高さ位置まで突出形成されている。支承台４３は、貫通穴３４の開口端から径方向外側に向かって形成され、その天井壁Ｗ３の壁面と同一平面をなす面の径方向外側及び内側両端部には、図２及び図３に示すように、外れ止め部材４４が取付部４５にて連結されるようになっている。
【００４４】
さらにまた、ベースプレート３１において、第６ブラシボックス３２ｆと第１ブラシボックス３２ａの中間位置には、貫通穴３４の開口端から径方向外側に向かって、コンデンサ載置台５０、一対の第１及び第２電源端子支持穴５１，５２、補助端子固定台５３に順に形成されている。
【００４５】
コンデンサ載置台５０は、周方向中央に軸線方向に延出形成された仕切壁５５を有し、その仕切壁５５にて径方向に延びる２つの載置部５０ａ，５０ｂが形成される。コンデンサ載置台５０の径方向外側のベースプレート３１の内側面ｆ１には、軸方向から見て長方形の第１電源端子支持穴５１と第２電源端子支持穴５２が貫通形成されている。
【００４６】
第１電源端子支持穴５１と第２電源端子支持穴５２は、貫通穴３４（回転軸２１）の中心軸を中心とする同一円周線上に相対向するように貫通形成されている。また、第１及び第２電源端子支持穴５１，５２は、ベースプレート３１の外側面ｆ２おいて、その外側面ｆ２に軸線方向に延出形成した端子保持部３３と対向する位置に形成されている。そして、第１及び第２電源端子支持穴５１，５２は、端子保持部３３内を通って同端子保持部３３の先端面まで貫通している。
【００４７】
第１電源端子支持穴５１には、図８に示す第１電源端子６１が貫挿される。第１電源端子６１は、その先端部が端子保持部３３の先端面から突出するまで貫挿されている。
第２電源端子支持穴５２には、図９に示す第２電源端子６２が貫挿される。第２電源端子６２は、その先端部が端子保持部３３の先端面から突出するまで貫挿されている。
【００４８】
図８及び図９に示すように、第１及び第２電源端子６１，６２は、共に板材をクランク状に折り曲げ形成され、それぞれ第１及び第２電源端子支持穴５１，５２に貫挿される貫挿部６１ａ，６２ａ、内側面ｆ１に当接する当接部６１ｂ，６２ｂ、内側面ｆ１から軸線方向に立設する端子部６１ｃ，６２ｃを有する。
【００４９】
第１及び第２電源端子６１，６２の貫挿部６１ａ，６２ａは、共に同じに長さになっている。従って、端子保持部３３の先端面から突出する第１及び第２電源端子６１，６２の先端部は同じ長さとなる。
【００５０】
また、貫挿部６１ａ，６２ａの幅狭の両側面には、切り返し６１ｄ，６２ｄが形成されている。切り返し６１ｄ，６２ｄは、貫挿部６１ａ，６２ａをそれぞれ第１及び第２電源端子支持穴５１，５２に貫挿する時、第１及び第２電源端子支持穴５１，５２の内側面に圧接しながら貫挿される。そして、貫挿した後に、第１及び第２電源端子６１，６２を引き抜こうとしても切り返し６１ｄ，６２ｄが第１及び第２電源端子支持穴５１，５２の内側面に食い込み抜けないようにしている。
【００５１】
第１及び第２電源端子６１，６２の当接部６１ｂ，６２ｂは、共に同じに長さになっている。そして、貫挿部６１ａ，６２ａを第１及び第２電源端子支持穴５１，５２に貫挿した状態で、当接部６１ｂ，６２ｂは、ベースプレート３１の内側面ｆ１に当接する。
【００５２】
第１及び第２電源端子６１，６２の端子部６１ｃ，６２ｃは、図８及び図９に示すように、第２電源端子６２の端子部６２ｃの長さが第１電源端子６１の端子部６１ｃの長さより長く形成されている。そして、両端子部６１ｃ，６２ｃの先端には同じ深さの切り込み６１ｅ，６２ｅがそれぞれ形成されている。従って、第２電源端子６２の端子部６２ｃの切り込み６２ｅが、第１電源端子６１の端子部６１ｃの切り込み６１ｅよりも高い位置にある。
【００５３】
なお、第１及び第２電源端子６１，６２を第１及び第２電源端子支持穴５１，５２に貫挿する際、第１及び第２電源端子６１，６２の端子部６１ｃ，６２ｃが互いに離間するように貫挿するようにしている。
【００５４】
第１及び第２電源端子支持穴５１，５２の径方向外側のベースプレート３１の内側面ｆ１には、補助端子固定台５３が形成されている。補助端子固定台５３は、補助電極端子固定孔５７が、周方向に相対向するように２つの補助電極端子固定孔５７が形成されている。２つの補助電極端子固定孔５７は、ベースプレート３１の外側面ｆ２まで貫通しない孔であって、軸方向から見て長方形の孔である。
【００５５】
そして、一対の補助電極端子固定孔５７には、図１０に示す補助電源端子７０が挿入固定される。補助電源端子７０は、板状のベース部７０ａの一側（図１０では下側）に一対の補助電極端子固定孔５７に嵌入される固定足部７０ｂを有している。
【００５６】
両固定足部７０ｂの幅狭の両側面には、切り返し７０ｃが形成されている。切り返し７０ｃは、固定足部７０ｂを補助電極端子固定孔５７に嵌入する時、補助電極端子固定孔５７の内側面に圧接しながら嵌入される。そして、嵌入した後に、補助電源端子７０を引き抜こうとしても切り返し７０ｃが補助電極端子固定孔５７の内側面に食い込み抜けないようにしている。
【００５７】
一方、補助電源端子７０のベース部７０ａの他側（図１０では上側）に第１及び第２補助端子部７１，７２が延出形成されている。第１補助端子部７１は第１電源端子６１寄りに形成され、第２補助端子部７２は第２電源端子６２寄りに形成されている。第１補助端子部７１の幅広側の面が、第１電源端子６１の端子部６１ｃの幅広の面に対して直交するとともに、第２補助端子部７２の幅広側の面が、第２電源端子６２の端子部６２ｃの幅広の面に対して直交するようになっている。
【００５８】
図１０に示すように、第１補助端子部７１の軸方向の長さが第２補助端子部７２の長さよりも長く形成されている。このとき、第１補助端子部７１の先端の高さ位置が、前記した第２電源端子６２の端子部６２ｃの高さ位置と一致させている。同様に、第２補助端子部７２の先端の高さ位置が、前記した第１電源端子６１の端子部６１ｃの高さ位置と一致させている。
【００５９】
両補助端子部７１，７２の先端には同じ深さの切り込み７１ａ，７２ａがそれぞれ形成されている。従って、第１補助端子部７１の切り込み７１ａが、第２補助端子部７２の切り込み７２ａよりも高い位置にある。そして、第１補助端子部７１の切り込み７１ａと第２電源端子６２の切り込み６２ｅは同じ高さに、第２補助端子部７２の切り込み７２ａと第１電源端子６１の切り込み６１ｅは同じ高さにしている。
【００６０】
また、第１補助端子部７１と第２補助端子部７２の中間位置におけるベース部７０ａの他側には、付勢片７３が延出形成されている。付勢片７３は、図１１に示すように上方に延出形成された後、径方向外側に屈曲形成され、外側に膨らんだ後に先端を径方向内側に屈曲させている。
【００６１】
この付勢片７３の径方向外側への膨みは、ベースプレート３１の外周面より外まで張り出させている。これによって、ベースプレート３１をヨークハウジング１の円筒部１１に嵌着させた時、付勢片７３は、円筒部１１の内周面１１ａに当接し、図１１に２点鎖線で示すように撓み、円筒部１１の内周面１１ａに対して圧接保持されるようになっている。
【００６２】
上記のように構成されたブラシホルダ３０について、ベースプレート３１の内側面ｆ１に形成された第１〜第６ブラシボックス３２ａ〜３２ｆには、それぞれ陽極用のブラシである第１ブラシＢ１又は陰極用のブラシである第２ブラシＢ２のいずれか収容される。
【００６３】
詳述すると、第２、第４、第６ブラシボックス３２ｂ，３２ｄ，３２ｆには、それぞれ第１ブラシＢ１が収容される。第１、第３、第５ブラシボックス３２ａ，３２ｃ，３２ｅには、それぞれ第２ブラシＢ２が収容される。
【００６４】
これによって、第１ブラシＢ１と第２ブラシＢ２は、回転軸２１を挟んで相対向するように配置される。
第１〜第６ブラシボックス３２ａ〜３２ｆに対応する第１ブラシＢ１又は第２ブラシＢ２がそれぞれ挿入されると、第１〜第６ブラシボックス３２ａ〜３２ｆには、その径方向外側の開口部から圧縮コイルばねＳＰ（図１参照）が挿入される。次に、その径方向外側の端部にキャップＣＰが装着される。そして、第１ブラシＢ１及び第２ブラシＢ２は、それぞれが挿入された第１〜第６ブラシボックス３２ａ〜３２ｆ内に圧縮コイルばねＳＰを縮設して径方向内側に付勢されるようになっている。その結果、第１ブラシＢ１及び第２ブラシＢ２は、それぞれが挿入された第１〜第６ブラシボックス３２ａ〜３２ｆの一対の側壁Ｗ１，Ｗ２に案内されながら径方向内側に移動可能となり、摺接する整流子片２７に摺接可能に圧接する。
【００６５】
そして、これら３個ずつの第１ブラシＢ１と第２ブラシＢ２と摺接する整流子片２７を介して第１ブラシＢ１と第２ブラシＢ２から巻線２４に電流が供給されるようになっている。
【００６６】
また、第１ブラシＢ１及び第２ブラシＢ２は、それぞれ第１ピッグテールＰＴ１及び第２ピッグテールＰＴ２を設けている。そして、第１ブラシＢ１及び第２ブラシＢ２が対応するブラシボックス３２ａ〜３２ｆに挿入されるとき、第１ピッグテールＰＴ１及び第２ピッグテールＰＴ２は、ブラシボックス３２ａ〜３２ｆに設けたガイド凹部３５を通ってブラシボックス３２ａ〜３２ｆの外部に引き出されているようになっている。
【００６７】
また、図２及び図３に示すように、ブラシ装置３は、第１電源端子６１と３個の第１ブラシＢ１とを電気的に接続する第１導電部材８０と、第２電源端子６２と第２ブラシＢ２とを電気的に接続する第２導電部材９０とを備えている。
【００６８】
第１導電部材８０は、１本の基礎線材から形成されている。本実施形態では、基礎線材は、断面円形状の導線の外周を絶縁性の絶縁被膜にて被覆してなる被覆導線（絶縁電線）である。第１導電部材８０は、１本の基礎線材を湾曲及び屈曲して形成されており、第１円弧部８０ａと、第１直線部８０ｂと、第１チョークコイル８０ｃと、第１接続部８０ｄとを備えている。
【００６９】
第１導電部材８０は、円弧状に湾曲形成された第１円弧部８０ａが、図２及び図３に示すように、第１支持規制台４１、第３ブラシボックス３２ｃ、支承台４３，第４ブラシボックス３２ｄ、第２支持規制台４２に載置される。このとき、第１円弧部８０ａは、第１支持規制台４１に形成した第１突起４１ａ及び第３ブラシボックス３２ｃに形成した第１規制片ＳＴ１と係合するように架けわたされるようになっている。なお、第１円弧部８０ａの周方向反時計回り方向の端部は、第２ブラシボックス３２ｂの近傍位置まで延出している。
【００７０】
第１円弧部８０ａの周方向時計回り方向の端部は、第１直線部８０ｂが延出形成されている。第１直線部８０ｂは、第５ブラシボックス３２ｅの天井壁Ｗ３上を第１規制片ＳＴ１に係合されながら第５ブラシボックス３２ｅと第６ブラシボックス３２ｆの中間位置まで配置される。
【００７１】
第１導電部材８０の第１チョークコイル８０ｃは、第５ブラシボックス３２ｅと第６ブラシボックス３２ｆの中間位置まで配置された端部から径方向内側に向かって螺旋状に導線を巻いて形成している。従って、第１チョークコイル８０ｃは第５ブラシボックス３２ｅと第６ブラシボックス３２ｆとの間に形成される空間を径方向に沿って形成され配置されている。
【００７２】
第１導電部材８０の第１接続部８０ｄは、第１チョークコイル８０ｃの径方向内側端部から第６ブラシボックス３２ｆの天井壁Ｗ３に沿って延び、天井壁Ｗ３を過ぎた後に内側面ｆ１に向かって折り曲げ形成される。そして、内側面ｆ１まで延びた第１接続部８０ｄの端部８０ｅは、径方向外側に折り曲げ形成されている。
【００７３】
このとき、径方向外側に折り曲げ形成された第１接続部８０ｄの端部８０ｅは、第１電源端子６１の端子部６１ｃの周方向反時計回り方向の側面に当接するように配置される。この第１接続部８０ｄの端部８０ｅは、第１チョークコイル８０ｃが持つ弾性力にて周方向反時計回り方向への弾性力が付与され、端子部６１ｃの反時計回り方向の側面に対して弾圧した状態で当接している。
【００７４】
このように配置された第１導電部材８０に対して、第２、第４及び第６ブラシボックス３２ｂ，３２ｄ，３２ｆに収容された各第１ブラシＢ１の第１ピッグテールＰＴ１が溶接にて電気的に接続される。そして、第１導電部材８０の端部８０ｅが、第１電源端子６１の端子部６１ｃと溶接にて電気的に接続することによって、各第１ブラシＢ１は、第１電源端子６１と電気的に接続される。
【００７５】
第２導電部材９０は、第１導電部材８０と同じ１本の基礎線材から形成されている。第２導電部材９０は、１本の基礎線材を湾曲及び屈曲して形成されており、第２円弧部９０ａと、第２直線部９０ｂと、第２チョークコイル９０ｃと、第２接続部９０ｄとを備えている。
【００７６】
第２導電部材９０は、円弧状に湾曲形成された第２円弧部９０ａが、図２及び図３に示すように、第２支持規制台４２、第４ブラシボックス３２ｄ、支承台４３，第３ブラシボックス３２ｃ、第１支持規制台４１に載置される。このとき、第２円弧部９０ａは、第２支持規制台４２に形成した第２突起４２ａ及び第４ブラシボックス３２ｄに形成した第２規制片ＳＴ２と係合するように架けわたされるようになっている。なお、第２円弧部９０ａの周方向時計回り方向の端部は、第５ブラシボックス３２ｅの近傍位置まで延出している。
【００７７】
第２円弧部９０ａの周方向反時計回り方向の端部は、第２直線部９０ｂが延出形成されている。第２直線部９０ｂは、第２ブラシボックス３２ｂの天井壁Ｗ３上を第２規制片ＳＴ２に係合されながら第２ブラシボックス３２ｂと第１ブラシボックス３２ａの中間位置まで配置される。
【００７８】
第２導電部材９０の第２チョークコイル９０ｃは、第２ブラシボックス３２ｂと第１ブラシボックス３２ａの中間位置まで配置された端部から径方向内側に向かって螺旋状に導線を巻いて形成している。従って、第２チョークコイル９０ｃは第２ブラシボックス３２ｂと第１ブラシボックス３２ａとの間に形成される空間を径方向に沿って形成され配置されている。
【００７９】
第２導電部材９０の第２接続部９０ｄは、第２チョークコイル９０ｃの径方向内側端部から第１ブラシボックス３２ａの天井壁Ｗ３に沿って延び、天井壁Ｗ３を過ぎた後に内側面ｆ１に向かって折り曲げ形成される。そして、内側面ｆ１まで延びた第２接続部９０ｄの端部９０ｅは、径方向外側に折り曲げ形成されている。
【００８０】
このとき、径方向外側に折り曲げ形成された第２接続部９０ｄの端部９０ｅは、第２電源端子６２の端子部６２ｃの周方向時計回り方向の側面に当接するように配置される。この第２接続部９０ｄの端部９０ｅは、第２チョークコイル９０ｃが持つ弾性力にて周方向時計回り方向への弾性力が付与され、端子部６１ｃの反時計回り方向の側面に対して弾圧した状態で当接している。
【００８１】
このように配置された第２導電部材９０に対して、第１、第３及び第５ブラシボックス３２ａ，３２ｃ，３２ｅに収容された各第２ブラシＢ２の第２ピッグテールＰＴ２が溶接にて電気的に接続される。そして、第２導電部材９０の端部９０ｅが、第２電源端子６２の端子部６２ｃと溶接にて電気的に接続することによって、各第２ブラシＢ２は、第２電源端子６２と電気的に接続される。
【００８２】
そして、第１導電部材８０及び第２導電部材９０の配線が完了すると、支承台４３に外れ止め部材４４を固定する。
図２及び図３に示すように、第１ブラシボックス３２ａと第６ブラシボックス３２ｆの間に設けられコンデンサ載置台５０には、第１コンデンサＣａと第２コンデンサＣｂが載置される。詳述すると、コンデンサ載置台５０において、第６ブラシボックス３２ｆ側の載置部５０ａには、第１コンデンサＣａが載置され、第１ブラシボックス３２ａ側の載置部５０ｂには、第２コンデンサＣｂが載置されている。
【００８３】
図１２（ａ）（ｂ）に示すように、第１及び第２コンデンサＣａ，Ｃｂは、その本体形状が偏平の四角形状をなしている。
第１コンデンサＣａは、図１２（ａ）に示すように、偏平矩形状の本体部と、その最も幅広の偏平面ｆａ間を繋ぐ幅狭の一側面（図２において径方向外側の面）の上下両側（図２においては軸線方向）から引き出された電源端子側リード線Ｃａ１及び補助電源端子側リード線Ｃａ２とから構成されている。
【００８４】
図１２（ａ）において、電源端子側リード線Ｃａ１は下側に設けられ、その中間位置から図１２（ａ）において右側に屈曲形成されている。また、補助電源端子側リード線Ｃａ２は上側に設けられ、全長が図１２（ａ）において前方に向かって形成されている。
【００８５】
このように形成された、第１コンデンサＣａを載置部５０ａに載置するとき、偏平形状の第１コンデンサＣａの偏平面ｆａが、軸線方向に延びる中心軸線と径方向に延びる放射線とで形成される面と平行になるように配置する。しかも、電源端子側リード線Ｃａ１が内側面ｆ１側に位置するように第１コンデンサＣａを載置部５０ａに載置する。
【００８６】
これによって、電源端子側リード線Ｃａ１が、第１電源端子６１の端子部６１ｃ側を向き、補助電源端子側リード線Ｃａ２が、補助電源端子７０の第１補助端子部７１側を向く。そして、電源端子側リード線Ｃａ１を端子部６１ｃの切り込み６１ｅに挟入するとともに、補助電源端子側リード線Ｃａ２を第１補助端子部７１の切り込み７１ａに挟入し、これら挟入にて電気的に接続する。
【００８７】
これによって、第１コンデンサＣａは、第１電源端子６１と補助電源端子７０（ヨークハウジング１）との間において電気的に接続される。
一方、第２コンデンサＣｂは、図１２（ｂ）に示すように、偏平矩形状の本体部と、その最も幅広の偏平面ｆｂ間を繋ぐ幅狭の一側面（図２において径方向外側の面）の上下両側（図２においては軸線方向）から引き出された電源端子側リード線Ｃｂ１及び補助電源端子側リード線Ｃｂ２とから構成されている。
【００８８】
図１２（ｂ）において、電源端子側リード線Ｃｂ１は上側に設けられ、その中間位置から図１２（ｂ）において左側に屈曲形成されている。また、補助電源端子側リード線Ｃｂ２は下側に設けられ、全長が図１２（ｂ）において前方に向かって形成されている。
【００８９】
このように形成された、第２コンデンサＣｂを載置部５０ｂに載置するとき、偏平形状の第２コンデンサＣｂの偏平面ｆｂが、軸線方向に延びる中心軸線と径方向に延びる放射線とで形成される面と平行になるように配置する。しかも、補助電源端子側リード線Ｃｂ２が内側面ｆ１側に位置するように第２コンデンサＣｂを載置部５０ｂに載置する。
【００９０】
これによって、電源端子側リード線Ｃｂ１が、第２電源端子６２の端子部６２ｃ側を向き、補助電源端子側リード線Ｃｂ２が、補助電源端子７０の第２補助端子部７２側を向く。そして、電源端子側リード線Ｃｂ１を端子部６２ｃの切り込み６２ｅに挟入するとともに、補助電源端子側リード線Ｃｂ２を第２補助端子部７２の切り込み７２ａに挟入し、これら挟入にて電気的に接続する。
【００９１】
なお、２つのコンデンサＣａ，Ｃｂは、本体部及びリード線引出し部（リード線Ｃａ１，Ｃａ２，Ｃｂ１，Ｃｂ２）とも同一形状である。つまり、第２コンデンサＣｂは、第１電源端子６１と第１補助端子部７１に接続された第１コンデンサＣａに対し、電源端子側リード線Ｃｂ１及び補助電源端子側リード線Ｃｂ２の引き出し方向を回転軸として半回転した状態でが、第２電源端子６２と第２補助端子部７２に接続される。
【００９２】
これによって、第２コンデンサＣｂは、第２電源端子６２と補助電源端子７０（ヨークハウジング１）との間において電気的に接続される。
次に、上記のように構成したブラシ装置３の作用について説明する。
【００９３】
ブラシホルダ３０のベースプレート３１であって、第１ブラシボックス３２ａと第６ブラシボックス３２ｆの間の内側面ｆ１に、径方向内側から径方向外側に向かってコンデンサ載置台５０、第１及び第２電源端子支持穴５１，５２、補助端子固定台５３を順番に形成した。
【００９４】
そして、コンデンサ載置台５０には、第１及び第２コンデンサＣａ，Ｃｂを載置し、第１及び第２電源端子支持穴５１，５２には第１及び第２電源端子６１，６２を挿入し固設し、補助端子固定台５３には、補助電源端子７０を固定した。その結果、第１及び第２コンデンサＣａ，Ｃｂ、第１及び第２電源端子６１，６２、及び、補助電源端子７０は、径方向に並設されることから、第１ブラシボックス３２ａと第６ブラシボックス３２ｆの間の限られたスペースに配置することができる。
【００９５】
しかも、第１及び第２コンデンサＣａ，Ｃｂは、その偏平面ｆａ，ｆｂが、軸線方向に延びる中心軸線と径方向に延びる放射線とで形成される面と平行になるように配置するようにしたことから、ベースプレート３１の内側面ｆ１における限られた周方向の面積を占めることはない。
【００９６】
また、第１コンデンサＣａの電源端子側リード線Ｃａ１は、内側面ｆ１側であって周方向反時計回り方向で第１電源端子６１と接続する。第１コンデンサＣａの補助電源端子側リード線Ｃａ２は、内側面ｆ１から離間した側であって径方向外側で補助電源端子７０と接続する。さらに、第２コンデンサＣｂの電源端子側リード線Ｃｂ１は、内側面ｆ１から離間する側であって周方向時計回り方向で第２電源端子６２と接続する。第２コンデンサＣｂの補助電源端子側リード線Ｃｂ２は、内側面ｆ１側であって径方向外側で補助電源端子７０と接続する。
【００９７】
つまり、４本の電源端子側リード線Ｃａ１、補助電源端子側リード線Ｃａ２、電源端子側リード線Ｃｂ１及び補助電源端子側リード線Ｃｂ２は、３次元的に互いに異なった位置に配置されるようにした。これによって、４本の電源端子側リード線Ｃａ１、補助電源端子側リード線Ｃａ２、電源端子側リード線Ｃｂ１及び補助電源端子側リード線Ｃｂ２の溶接による接続作業は容易にとなる。また、これらリード線Ｃａ１，Ｃａ２，Ｃｂ１，Ｃｂ２間の絶縁性も十分に確保される。
【００９８】
さらに、第１及び第２導電部材８０，９０の端部８０ｅ，９０ｅは、第１及び第２電源端子６１，６２の端子部６１ｃ，６２ｃの側面に弾圧した状態で当接するようにしたことから、端部８０ｅ，９０ｅが端子部６１ｃ，６２ｃに確実に固定され溶接時の溶接作業が容易となる。
【００９９】
さらにまた、端部８０ｅ，９０ｅに弾性力を付与する第１及び第２チョークコイル８０ｃ，９０ｃは、第１コンデンサＣａ，Ｃｂと協働して第１及び第２ブラシＢ１，Ｂ２が整流子片２７を摺接する際に発生する高周波ノイズを抑制することができる。
【０１００】
しかも、第１チョークコイル８０ｃは、第５ブラシボックス３２ｅと第６ブラシボックス３２ｆの間に形成される空間に径方向に沿って設け、第２チョークコイル９０ｃは、第１ブラシボックス３２ａと第２ブラシボックス３２ｂの間に形成される空間に径方向に沿って設けた。従って、第１及び第２チョークコイル８０ｃ，９０ｃをベースプレート３１の内側面ｆ１の限られたスペースに収容できる。
【０１０１】
また、補助電源端子７０に付勢片７３を設け、ブラシホルダ３０をヨークハウジング１に嵌着固定した時、付勢片７３がヨークハウジング１における円筒部１１の内周面１１ａに弾圧した状態で当接保持される。これによって、付勢片７３とヨークハウジング１は電気的に接続され補助電源端子７０はアース端子となり、第１及び第２電源端子６１，６２と補助電源端子７０との間に接続されたそれぞれの第１及び第２コンデンサＣａ，Ｃｂは、前記した高周波ノイズ吸収を行う。
【０１０２】
次に、上記実施形態の効果を以下に記載する。
（１）本実施形態によれば、第１及び第２コンデンサＣａ，Ｃｂ、第１及び第２電源端子６１，６２、及び、補助電源端子７０は、径方向に並設したので、第１ブラシボックス３２ａと第６ブラシボックス３２ｆの間の限られたスペースに配置することができる。
【０１０３】
従って、ブラシ装置３の小型化、ひいては直流モータＭの小型化を実現できる。
（２）本実施形態によれば、第１及び第２コンデンサＣａ，Ｃｂは、その偏平面ｆａ，ｆｂが、軸線方向に延びる中心軸線と径方向に延びる放射線とで形成される面と平行になるように配置するようにしたので、ベースプレート３１の内側面ｆ１における限られた周方向の面積を占めることはない。
【０１０４】
従って、ブラシ装置３の小型化、ひいては直流モータＭの小型化を実現できる。
（３）本実施形態によれば、第１及び第２コンデンサＣａ、Ｃｂの４本の電源端子側リード線Ｃａ１、補助電源端子側リード線Ｃａ２、電源端子側リード線Ｃｂ１及び補助電源端子側リード線Ｃｂ２は、３次元的に互いに異なった位置に配置されるようにした。これによって、４本の電源端子側リード線Ｃａ１、補助電源端子側リード線Ｃａ２、電源端子側リード線Ｃｂ１及び補助電源端子側リード線Ｃｂ２の溶接による接続作業は容易にとなる。また、これらリード線Ｃａ１，Ｃａ２，Ｃｂ１，Ｃｂ２間の絶縁性も十分に確保される。
【０１０５】
（４）本実施形態によれば、２つのコンデンサＣａ，Ｃｂは、リード線Ｃａ１，Ｃａ２，Ｃｂ１，Ｃｂ２の引き出し方向を回転軸として半回転した状態にすれば、同一形状となることから、コンデンサを１種類のみとすることができ部品管理が容易となる。
【０１０６】
（５）本実施形態によれば、第１及び第２導電部材８０，９０の端部８０ｅ，９０ｅを、第１及び第２電源端子６１，６２の端子部６１ｃ，６２ｃの側面に弾圧した状態で当接するようにしたので、端部８０ｅ，９０ｅが端子部６１ｃ，６２ｃに確実に固定され溶接時の溶接作業を容易にすることできる。
【０１０７】
（６）本実施形態によれば、端部８０ｅ，９０ｅに弾性力を付与する第１及び第２チョークコイル８０ｃ，９０ｃは、第１コンデンサＣａ，Ｃｂと協働して第１及び第２ブラシＢ１，Ｂ２が整流子片２７を摺接する際に発生する高周波ノイズを抑制することができる。
【０１０８】
（７）本実施形態によれば、第１チョークコイル８０ｃは、第５ブラシボックス３２ｅと第６ブラシボックス３２ｆの間に形成される空間に径方向に沿って設け、第２チョークコイル９０ｃは、第１ブラシボックス３２ａと第２ブラシボックス３２ｂの間に形成される空間に径方向に沿って設けた。従って、第１及び第２チョークコイル８０ｃ，９０ｃをベースプレート３１の内側面ｆ１の限られたスペースに収容できる。その結果、ブラシ装置３の小型化、ひいては直流モータＭの小型化を実現できる。
【０１０９】
（８）本実施形態によれば、補助電源端子７０の付勢片７３をヨークハウジング１における円筒部１１の内周面１１ａに弾圧保持させるようにした。これによって、簡単に補助電源端子７０をアース端子することができる。
【０１１０】
なお、上記実施形態では、電源端子６１，６２から左右周方向に、３０度、９０度、１５０度位置に６つ第１〜第６ブラシボックス３２ａ〜３２ｆを形成し、これら全てにブラシＢ１，Ｂ２が収容されるブラシ装置３とした。
【０１１１】
しかしながら、ブラシボックスを電源端子から左右周方向に、９０度、１５０度の位置に４つ（図２において、第２、第３、第４、第５ブラシボックス３２ｂ，３２ｃ，３２ｄ，３２ｅに相当）形成したブラシ装置であってもよい。
【０１１２】
また、ブラシボックスを６つ形成したブラシ装置において、ブラシを９０度位置のブラシボックスに第１ブラシＢ１と第２ブラシＢ２の計２つ、あるいは、９０度と１５０度位置のブラシボックスに周方向回りに第１ブラシＢ１と第２ブラシＢ２が交互となるように計４つ、収容するものであってもよい。
【０１１３】
さらに、ブラシボックスを４つ形成したブラシ装置において、ブラシを、全てのブラシボックスに周方向回りに第１ブラシＢ１と第２ブラシＢ２が交互となるように計４つ、あるいは、９０度または１５０度位置のブラシボックスにそれぞれ第１ブラシＢ１と第２ブラシＢ２の計２つ、収容するものであってもよい。
【符号の説明】
【０１１４】
Ｍ…直流モータ、１…ヨークハウジング、２…電機子、３…ブラシ装置、１１…円筒部、１１ａ…内周面、１２…蓋部、２１…回転軸、２２…電機子コア、２３…ティース、２４…巻線、２５…整流子、２７…整流子片、２８…ライザ、３０…ブラシホルダ、３１…ベースプレート、３２…ブラシボックス、３２ａ〜３２ｆ…第１〜第６ブラシボックス、３３…端子保持部、３４…貫通孔、３５…ガイド凹部、３６…係止片、４１，４２…第１及び第２支持規制台、４１ａ，４２ａ…第１及び第２突起、４３…支承台、４４…外れ止め部材、４５…取付部、５０…コンデンサ載置台、５１，５２…第１及び第２電源端子支持穴、５３…補助端子固定台、５０ａ，５０ｂ…載置部、５５…仕切壁、５７…補助電極端子固定孔、６１，６２…第１及び第２電源端子、６１ａ，６２ａ…貫挿部、６１ｂ，６２ｂ…当接部、６１ｃ，６２ｃ…端子部、６１ｄ，６２ｄ…切り返し、６１ｅ，６２ｅ…切り込み、７０…補助電源端子（給電補助端子）、７０ａ…ベース部、７０ｂ…固定足部、７０ｃ…切り返し、７１，７２…第１及び第２補助端子部、７１ａ，７２ａ…切り込み、７３…付勢片、８０，９０…第１及び第２導電部材、８０ａ，９０ａ…第１及び第２円弧部、８０ｂ，９０ｂ…第１及び第２直線部、８０ｃ，９０ｃ…第１及び第２チョークコイル（バネ部）、８０ｄ，９０ｄ…第１及び第２接続部、８０ｅ，９０ｅ…端部（係合部）、ＭＧ１…第１永久磁石、ＭＧ２…第２永久磁石、ｆ１…内側面、ｆ２…外側面、Ｗ１…第１側壁、Ｗ２…第２側壁、Ｗ３…天井壁、ＣＰ…キャップ、ＳＴ１〜ＳＴ３…第１〜第３規制片、Ｂ１，Ｂ２…第１及び第２ブラシ、ＰＴ１，ＰＴ２…第１及び第２ピッグテール、ＳＰ…圧縮ばね、Ｃａ，Ｃｂ…第１及び第２コンデンサ、Ｃａ１，Ｃａ２…第１及び第２引出線（リード線引出し部）、Ｃｂ１，Ｃｂ２…第１及び第２引出線（リード線引出し部）、ｆａ，ｆｂ…偏平面。
【図１】
2014017935.tif 000003
【図２】
2014017935.tif 000004
【図３】
2014017935.tif 000005
【図４】
2014017935.tif 000006
【図５】
2014017935.tif 000007
【図６】
2014017935.tif 000008
【図７】
2014017935.tif 000009
【図８】
2014017935.tif 000010
【図９】
2014017935.tif 000011
【図１０】
2014017935.tif 000012
【図１１】
2014017935.tif 000013
【図１２】
2014017935.tif 000014